(57)【要約】【構成】外蓋、中蓋、内蓋からなる天蓋を有する包装箱において、外蓋に折曲片部を２箇所設ける。また、中蓋に折曲片部の面積よりもおおきな面積を持つ切欠部を設ける。【効果】このように構成された包装箱を外箱に隙間なく詰めた場合でも、折曲片部を曲げることにより、この部分を持ち手として外箱から容易に取り出せることができる。また、一度折曲片部を曲げると、引っ掛けによる破損等が発生する場合があるが、中蓋に切欠部を設けることにより、外蓋の表面からの折曲片部の突出をおさえることができる。【選択図】図２
2008179370.tif 000002
【特許請求の範囲】
【請求項１】
４面から成る側面部と、該側面部の上端に配設された蓋部と、該側面部の下端に配設された底面部から成る包装箱であって、
前記蓋部は、前記側面部の対向する２面の上端に折曲可能に連設された一対の内蓋と、前記側面部の他の２面の夫々の上端に折曲可能に連設された中蓋及び外蓋から成り、該外蓋の両側縁に切込部を配して折曲可能に一対の折曲片部を形成し、
前記中蓋の両側縁に前記折曲片部よりも大きな面積の一対の切欠部を形成し、
前記側面部に対して、前記内蓋、中蓋、外蓋の順に折曲して前記側面部の上方を閉蓋する際に、前記切欠部に前記折曲片部を押嵌可能とすることを特徴とする包装箱。
【請求項２】
請求項１記載の包装箱において、前記折曲片部を形成する縁は波刃状であることを特徴とする包装箱。
【発明の詳細な説明】
【技術分野】
【０００１】
この発明は、商品を収納するための包装箱に関するものである。
【背景技術】
【０００２】
一般に、ある商品を出荷する際には、その商品を壊さないように、またはその商品に付属する説明書や部品等を同梱するための包装箱に収納される。その商品が小さく、かつ対応する包装箱も小さい場合においては、商品が収納された複数の包装箱を１つの外箱に入れる集合包装を施して出荷することが行われている。図７は包装箱の従来の集合包装を示しており、１つの外装箱５１に包装箱５５が４つ収納されている。
【０００３】
図７のように集合包装が施された１つの外装箱５１から商品が収納された複数の包装箱５５を取り出す方法として、（１）複数の包装箱５５が収納された際にできる隙間を利用して隙間に手を入れて取り出す方法、（２）包装箱５５自身にリボン等の別部品を取り付けてその別部品を介して取り出す方法、または（３）外装箱５１を逆さにして包装箱５５を取り出すことが考えられる。
【０００４】
（１）の方法を採用した場合、複数の包装箱５５の収納により作られた隙間に手が入らず取り出せないことや、手が入ったとしても包装箱５５が重かった場合は包装箱５５が手から滑り落ちてしまい取り出せないことが考えられる。また（２）の方法を採用した場合、包装箱５５専用の別部品を用意することによるコストアップや別部品の取り付け作業による手間が掛かる。また（３）の方法を採用した場合、外装箱５１を逆さにしたときに包装箱５５は地面に落下してしまい、収納されている商品を破損してしまうおそれがある。
【０００５】
したがって、外装箱５１に収納されている包装箱５５を取り出すために包装箱５５自身の構造に手で取り出しやすい機構を設けることにより、外装箱５１から包装箱５５を取り出しやすくする方法が考えられる。
【特許文献１】特開平１１−７９１６０号公報〔Ｂ６５Ｄ    ５／４２、５／１０〕
【発明の開示】
【発明が解決しようとする課題】
【０００６】
従来技術１における包装容器では、サブカートン等の包装容器をマスターカートンに複数個隣接状態でギッシリ詰めて包装した状態において包装容器を容易に取り出すために、箱体の上端縁に折り目を介して天板と一対の内フラップを設けておいて、その内フラップの一部を切り離してピックアップ部材を形成している。
【０００７】
しかしながら、従来技術１の構成では、不安定なピックアップが飛び出しており、作業中に破損する可能性が高くなる。また、マスターカートンは段ボール紙等で構成されており、マスターカートンにサブカートンを詰めた状態としてサブカートンが１列に詰められた状態が開示されているが、このサブカートンを碁盤状に詰めた場合には、サブカートンの段ボールの厚み分を確保するためにマスターカートンの容量を大きくする必要がある。
【０００８】
本発明は上記の問題を解決するもので、外装箱に収納された包装箱を取り出す際に、取り出し容易、かつ包装箱自身の大きさを配慮した包装箱を提供することを目的とする。
【課題を解決するための手段】
【０００９】
第一の発明の包装箱は、４面から成る側面部と、側面部の上端に配設された蓋部と、側面部の下端に配設された底面部から成る包装箱であって、蓋部は、側面部の対向する２面の上端に折曲可能に連設された一対の内蓋と、側面部の他の２面の夫々の上端に折曲可能に連設された中蓋及び外蓋から成り、外蓋の両側縁に切込部を配して折曲可能に一対の折曲片部を形成し、中蓋の両側縁に折曲片部よりも大きな面積の一対の切欠部を形成し、側面部に対して、内蓋、中蓋、外蓋の順に折曲して側面部の上方を閉蓋する際に、切欠部に折曲片部を押嵌可能とすることを特徴とする。
【００１０】
第一の発明の包装箱によれば、外蓋の両側縁に切込部を配して折曲可能に一対の折曲片部を形成しており、折曲片部を折曲げることにより、包装箱の持ち手が形成される。したがって、包装箱に持ち手が形成されるため、持ち手のための別部品も不必要となり、かつ小型化が図れる。また、中蓋の両側縁に折曲片部よりも大きな面積の一対の切欠部を形成されているため、折曲片部を切欠部に押し込むことで、折曲片部のバックラッシュを吸収し、外蓋の表面からの折曲片部の飛び出しを抑制することができる。
【００１１】
第二の発明は、第一の発明の包装箱において、折曲片部を形成する縁は波刃状であることを特徴とする。
【００１２】
第二の発明によれば、折曲片部を構成する縁が波刃状であるため、折曲片部を切欠部に押し込んだとき、折曲片部の折り癖により波刃状の切り口にズレが生じて抵抗となり、外蓋の表面からの飛び出しをさらに抑制することができる。
【発明を実施するための最良の形態】
【００１３】
本実施例の包装箱を図１〜６を参照して説明する。
【００１４】
図１は物体が包装箱１に収納された状態の斜視図である。図２および図３は、包装箱１に物体を収納し、包装が完了するまで課程における状態をそれぞれ示している。図４は、４つの包装箱１が外箱１７に収納された状態を示している。図５は図１の包装箱１のある部分の拡大図である。図６は包装箱１の展開図である。
【００１５】
図１及び図６を参照して、包装箱１は上方から見て略長方形であり、段ボールで形成されている。そして、左側面壁１１、前面壁１２、右側面壁１３、後面壁１４、各々の面壁の下端に連設された底面壁１５、左側面壁１１および右側面壁１３の上端に連設されたフラップ２３、フラップ２１、前面壁１２の上端に連設された中蓋１９、後面壁１４の上端に連設された外蓋７、外蓋７の上端に連設された外蓋差込片２７を備えている。
【００１６】
図６の包装箱１の展開図を参照して詳細に説明する。底面壁１５には、前面壁１２の下端に連設され差込口を形成する底面差込口片１５ｃ、後面壁１４の下端に連設され底面差込口片１５ｃに差込むことにより係止する底面差込片１５ａ、底面差込口片１５ｃの差込口に底面差込片１５ａが差し込まれたときに底辺差込口片１５ｃと底辺差込片１５ａを支持する、右側面壁１３および左側面壁１１のそれぞれ下端に連設された底面片１５ｂ、１５ｄで構成される。
【００１７】
前面壁１２と連設された中蓋１９は前面壁１２の上端に折り目を介しており、前面壁１２と中蓋１９には、その折り目の中心の一部を切り離して外蓋７に形成されている差込口へ差し込む中蓋差込片５、および外蓋７を折りたたんだ際に外蓋７を固定するための外蓋差込片２７を収納するための外蓋差込口２９が形成されている。そして後面壁１４の側辺に後面壁１４と長さが等しいのりしろ片２５が設けられている。
【００１８】
また、中蓋１９には前面壁１２との折り目の線に対し、略垂直方向に伸びる２辺に夫々切欠部２０ａ、２０ｂを設けている。中蓋１９の切欠部２０ａ、２０ｂの周縁の３辺は、図５に示すように波刃加工されており、切欠部２０ａ、２０ｂの面積は後述する折曲片部３ａ、３ｂの面積よりも大きい。
【００１９】
詳しくは、折曲片部３ａ、３ｂの長手方向の辺Ｎの寸法は、切欠部２０ａ、２０ｂの長手方向の辺Ｌの寸法より小さく設定されており、折曲片部３ａ、３ｂの他の辺Ｏは、切欠部２０ａ、２０ｂの他の辺Ｍの寸法よりも小さく設定されている。
【００２０】
外蓋７は、後面壁１４の上端に折り目を介して連設されており、外蓋７の上端に外蓋差込片２７を形成し、外蓋７を折りたたんだ際に中蓋１９に形成されている切欠部２０ａ、２０ｂに対応する位置に、折曲片部３ａ、３ｂを設けている。折曲片部３ａ、３ｂは外蓋７と後面壁１４の折り目と略平行方向に一対の切込みが為されており、その一対の切り込みの両終端には、外蓋７を折りたたんだ際に略垂直方向に折り曲げるための折り曲げ線が形成されている。
【００２１】
包装箱１に物体を収納した後、図２に示すように、まずフラップ２１、２３をお互いが近づく方向、つまり内側へ折りたたむ。そして、図３に示すように、折りたたまれたフラップ２１、２３を被せる様に中蓋１９を後面壁１４と外蓋７の折り目に向かって折りたたむ。そして、図１に示すように、外蓋差込片２７を外蓋差込口２９に挿入し、外蓋差込片２７と外蓋７の略中心に形成されている中蓋差込口に中蓋差込片５を挿入して、包装が完了する。
【００２２】
このように包装が完了した包装箱１は輸送されるために、図４に示すように、外箱１７に４体がセットで物体の破損を防ぐためにお互いが隙間なく収納される。包装箱１が収納されたこの外箱１７が輸送され、目的地へ到着する。外箱１７から包装箱１を取り出す際には、包装箱１の外蓋７に設けられた折曲片部３ａ、３ｂを外蓋７の面に対して略垂直方向に、底面壁１５から離れる方向に折り曲げる。図４の包装箱１（ａ）および図５に示すように、折り曲げられた折曲片部３ａ、３ｂが外蓋７の面に対して、立ち上がった状態となる。したがってこの部分を持ち手とし、包装箱１を持ち上げ、外箱１７から取り出すことが出来る。
【００２３】
また、外箱１７から取り出された包装箱１をそのまま保管および再び外箱１７に収納して輸送する場合、折曲片部３ａ、３ｂが外蓋７の面に対して立ち上がった状態では、引っ掛けによる破損の発生が考えられる。したがって、図４の包装箱１（ｂ）に示すように、折曲片部３ａ、３ｂを外蓋７の面に対して略垂直方向に、底面壁１５に近づく方向に押し込む。言い換えれば、折曲片部３ａ、３ｂを切欠部２０ａ、２０ｂへ収納する。折曲片部３ａ、３ｂが収納されると、折曲片部３ａ、３ｂの両側端に波刃加工が施されているため、折り癖により切り口にズレが生じて抵抗となって、立ち上がった状態に移行することを防止することが出来る。また、切欠部２０ａ、２０ｂの面積は折曲片部３ａ、３ｂの面積よりも大きいため、折曲片部３ａ、３ｂの押さえ込みの範囲の稼動範囲を大きくし、バックラッシュを吸収することができる。
【００２４】
なお、本実施例では、包装箱１の素材は段ボールであったが、厚紙素材やプラスチック素材でも良い。
【図面の簡単な説明】
【００２５】
【図１】本発明の一実施例である包装箱の形態を示す斜視図である。
【図２】本発明の一実施例である包装箱の他の形態を示す斜視図である。
【図３】本発明の一実施例である包装箱の他の形態を示す斜視図である。
【図４】本発明の一実施例である包装箱の集合包装を示した図である。
【図５】本発明の一実施例である包装箱の一部を示した図である。
【図６】本発明の一実施例である包装箱の展開図である。
【図７】従来の包装箱の集合包装の一形態を示す斜視図である。
【符号の説明】
【００２６】
１              …包装箱
３ａ、３ｂ      …折曲片部
７              …外蓋
２１            …フラップ
２３            …フラップ
１９            …中蓋
２０ａ、２０ｂ  …切欠部
【図１】
2008179370.tif 000003
【図２】
2008179370.tif 000004
【図３】
2008179370.tif 000005
【図４】
2008179370.tif 000006
【図５】
2008179370.tif 000007
【図６】
2008179370.tif 000008
【図７】
2008179370.tif 000009